(57)【要約】  電子装置であって、プロセッサに、そしてシステムの１つ又は複数のコンポーネントに供給されるべきシステム電力を受け取るとともに、システム電力に対応する情報を提供するための電力モニタと、システム電力に対応する情報に少なくとも一部分基づいて性能を変更するプロセッサとを備える、電子装置。
2017503287.tif 000002
【特許請求の範囲】
【請求項１】
電子装置であって、
プロセッサに、そしてシステムの１つ又は複数のコンポーネントに供給されるべきシステム電力を受け取るとともに、前記システム電力に対応する情報を提供するための電力モニタと、
前記システム電力に対応する前記情報に少なくとも一部分基づいて性能を変更するプロセッサとを備える、電子装置。
【請求項２】
前記電力モニタが、前記システム電力に対応する前記情報の少なくとも一部分を提供するためのバッテリ充電器を含む、請求項１に記載の電子装置。
【請求項３】
前記システム電力に対応する前記情報の少なくとも一部分がアナログ値を含み、当該電子装置が前記アナログ値をデジタル化するための変換装置を備える、請求項１に記載の電子装置。
【請求項４】
前記のデジタル化されたアナログ値を前記プロセッサに提供するために、前記変換装置に、そして前記プロセッサに接続されたバスを備える、請求項３に記載の電子装置。
【請求項５】
前記電力モニタが、前記システム電力に対応する前記情報の少なくとも一部分を提供するためのシリコンセンサを含む、請求項１に記載の電子装置。
【請求項６】
前記電力モニタが、シリコンセンサを含み、当該電子装置が、前記システム電力に対応する前記情報の少なくとも一部分を前記プロセッサに提供するために、前記シリコンセンサに、そして前記プロセッサに接続されたバスを備える、請求項１に記載の電子装置。
【請求項７】
前記システム電力に対応する前記情報が、瞬時電力に対応する値を含むことができる、請求項１に記載の電子装置。
【請求項８】
プロセッサに、そしてシステムの１つ又は複数のコンポーネントに供給されるべきシステム電力を受け取るステップと、
前記システム電力に対応する情報を提供するステップと、
前記システム電力に対応する前記情報に少なくとも一部分基づいて前記プロセッサの性能を変更するステップとを含む、方法。
【請求項９】
前記システム電力に対応する情報を提供するステップが、
バッテリ充電器が前記システム電力に対応する前記情報の少なくとも一部分を提供するステップを含む、請求項８に記載の方法。
【請求項１０】
前記システム電力に対応する前記情報の少なくとも一部分がアナログ値を含み、当該方法が前記アナログ値をデジタル化するステップを含む、請求項８に記載の方法。
【請求項１１】
バスを介して前記のデジタル化されたアナログ値を前記プロセッサに提供するステップを含む、請求項１０に記載の方法。
【請求項１２】
前記システム電力に対応する情報を提供するステップが、シリコンセンサが前記システム電力に対応する前記情報の少なくとも一部分を提供するステップを含む、請求項８に記載の方法。
【請求項１３】
前記システム電力に対応する情報を提供するステップが、バスを介してシリコンセンサから前記プロセッサに前記システム電力に対応する前記情報の少なくとも一部分を提供するステップを含む、請求項８に記載の方法。
【請求項１４】
前記システム電力に対応する前記情報が、瞬時電力に対応する値を含むことができる、請求項８に記載の方法。
【請求項１５】
電子装置であって、
プロセッサに、そしてシステムの１つ又は複数のコンポーネントに供給されるべきシステム電力を受け取るとともに、前記システム電力に対応する情報を提供するための第１の手段と、
前記システム電力に対応する前記情報に少なくとも一部分基づいて前記プロセッサの性能を変更するための第２の手段とを備える、電子装置。
【請求項１６】
前記第１の手段が、前記システム電力に対応する前記情報の少なくとも一部分を提供するためのバッテリ充電器を含む、請求項１５に記載の電子装置。
【請求項１７】
前記システム電力に対応する前記情報の少なくとも一部分がアナログ値を含み、当該電子装置が前記アナログ値をデジタル化するための変換装置を備える、請求項１５に記載の電子装置。
【請求項１８】
前記のデジタル化されたアナログ値を前記プロセッサに提供するために、前記変換装置に、そして前記プロセッサに接続されたバスを備える、請求項１７に記載の電子装置。
【請求項１９】
前記第１の手段が、前記システム電力に対応する前記情報の少なくとも一部分を提供するためのシリコンセンサを含む、請求項１５に記載の電子装置。
【請求項２０】
前記第１の手段が、シリコンセンサを含み、当該電子装置が、前記システム電力に対応する前記情報の少なくとも一部分を前記プロセッサに提供するために、前記シリコンセンサに、そして前記プロセッサに接続されたバスを備える、請求項１５に記載の電子装置。
【請求項２１】
前記システム電力に対応する前記情報が、瞬時電力に対応する値を含むことができる、請求項１５に記載の電子装置。
【請求項２２】
１つ又は複数の命令を含むコンピュータプログラムであって、前記命令が実行された場合に、プロセッサに、
前記プロセッサに、そしてシステムの１つ又は複数のコンポーネントに供給されるべきシステム電力に対応する情報を受け取り、
前記システム電力に対応する前記情報に少なくとも一部分基づいて前記プロセッサの性能を変更するための１つ又は複数の動作を実行させる、コンピュータプログラム。
【請求項２３】
前記システム電力に対応する前記情報が、電力モニタにより提供されるべき情報に対応する、請求項２２に記載のコンピュータプログラム。
【請求項２４】
前記電力モニタがバッテリ充電器を含む、請求項２３に記載のコンピュータプログラム。
【請求項２５】
前記電力モニタがシリコンセンサを含む、請求項２３に記載のコンピュータプログラム。
【請求項２６】
請求項２２から請求項２５のいずれか一項に記載のコンピュータプログラムを記憶したコンピュータ読取り可能な記憶媒体。
【発明の詳細な説明】
【技術分野】
【０００１】
実施例は、全体のシステム電力情報のような性能情報を提供するための電力モニタに関連し得る。
【背景技術】
【０００２】
集積回路（ＩＣ）の製造技術が向上するにつれて、製造業者は、単一のシリコン基板に、追加の機能を集積し得る。これらの機能の数が増加するにつれて、単一のＩＣチップ上のコンポーネントの数も増加する。追加のコンポーネントは、より多くの熱を発生させ得る追加の信号切り替えを追加し得る。例えば、追加の熱は、熱膨張によってＩＣチップを損傷するかもしれない。追加の熱は、そのようなチップを含む電子装置の使用場所及び／又は使用アプリケーションを同様に制限するかもしれない。
【０００３】
例えば、電子装置（例えば、携帯用の計算装置）は、その動作をもっぱらバッテリ電力に頼るかもしれない。例えば、追加の機能が電子装置に組み込まれるにつれて、長期間の間バッテリ電力を維持するために、電力消費量を削減する必要性がより重要になるかもしれない。
【０００４】
構成及び実施例は、同様の参照番号が同様の要素のことを指す下記の図面を参照して詳細に説明され得る。
【図面の簡単な説明】
【０００５】
【図１】実例の構成による、電子システムの構成図である。
【図２】実例の構成による、電子システムの構成図である。
【図３】実例の実施例による、電力モニタシステムを示す。
【図４】実例の実施例による、電子装置の電力モニタシステムを示す。
【図５】実例の実施例による、電子装置の電力モニタシステムを示す。
【図６】実例の実施例による、電子装置の電力モニタシステムを示す。
【図７】実例の実施例による、電子装置の電力モニタシステムを示す。
【図８Ａ】実例の実施例による、電力モニタシステムを示す。
【図８Ｂ】実例の実施例による、電力モニタシステムを示す。
【図９Ａ】実例の実施例による、電力モニタシステムを示す。
【図９Ｂ】実例の実施例による、電力モニタシステムを示す。
【発明を実施するための形態】
【０００６】
様々な構成及び実施例の完全な理解を提供するために、下記の説明では、多数の特定の詳細が説明される。しかしながら、様々な実施例は、特定の詳細なしで実践され得る。他の場合において、周知の方法、手順、コンポーネント、及び回路は、特定の実施例を不明瞭にしないために、詳細に説明されなかった。さらに、実施例の様々な態様は、集積された半導体回路（“ハードウェア”）、１つ又は複数のプログラムに体系化されたコンピュータ読み取り可能命令（“ソフトウェア”）、及び／又はハードウェアとソフトウェアのいくらかの組み合わせのような、様々な手段を用いて実行され得る。説明を容易にするために、“ロジック”に対する言及は、ハードウェア、ソフトウェア、又はそのいくらかの組み合わせのいずれかを意味するものとする。
【０００７】
電力供給ネットワークは、一般の計算性能、及び特にターボ性能（turbo  performance）に対する制限になり得る。全体の電力消費量（又は、全体のシステム電力消費量）を制限するかもしれない電力供給ネットワークの異なる階層がある。ＣＰＵ（中央処理装置）電力だけを制御するとともに、保護帯域を有するプラットフォームの残りに固定量を割り当てることにより問題は解決され得る。保護帯域が十分ではない場合に、これは、最適でない設定、又は、シャットダウンの危険性をもたらす。
【０００８】
構成及び／又は少なくとも１つの実施例は、例えば、プラットフォームコンポーネントから獲得された１つ又は複数の入力値／指示値、制御値（又は、パラメータ）の設定値、及び制御方策を含んでいる様々な情報に基づいて、全体のプラットフォーム電力消費量（又は、全体のシステム電力消費量）を対象にし得る。このやり方は、例えば、プラットフォーム電力の遠隔測定を使用することにより、補完され得る。例えば、プラットフォーム上の（例えば、電流）センサは、電流消費量をサンプリングするとともに、電流消費量がそれによりサンプリングされて制御されることになるＣＰＵのＶＲに、この情報を提供し得る。
【０００９】
全体のプラットフォーム電力消費量（又は、全体のシステム電力消費量）の制御を行うことは、より小さな（複数の）電源ユニットの使用、比較的少ない設計保護帯域、及び／又は、システムシャットダウンに対して削減された危険性を有するより強いシステムを可能にし得る。これは、サーバのみならず、タブレット、電話、及びウルトラブックのようなスモールフォームファクタにとって重要であり得る。
【００１０】
構成及び実施例は、（例えば、１つ又は複数のプロセッサコアを有する）１つ又は複数のプロセッサを含むシステムにおいて適用され得る。
【００１１】
図１は、実例の構成による、電子システム１００（又は、計算システム）の構成図を例示する。他の構成が同様に提供され得る。
【００１２】
電子システム１００は、１つ又は複数のプロセッサ１０２−１から１０２−Ｎまで（ここでは、複数のプロセッサ１０２、又はプロセッサ１０２と言われる）を含み得る。複数のプロセッサ１０２は、相互接続又はバス１０４を介して通信し得る。各プロセッサは、様々なコンポーネントを含むことができ、それらのうちのいくつかは、明瞭化のために、単にプロセッサ１０２−１を参照して論じられる。したがって、残りのプロセッサ１０２−２から１０２−Ｎまでのそれぞれは、プロセッサ１０２−１を参照して論じられた同じ又は同様のコンポーネントを含み得る。
【００１３】
プロセッサ１０２−１は、１つ又は複数のプロセッサコア１０６−１から１０６−Ｍまで（下記では、複数のコア１０６、又はコア１０６と言われる）、キャッシュ１０８、及び／又はルータ１１０を含み得る。複数のプロセッサコア１０６は、単一の集積回路（ＩＣ）チップ上に実装され得る。さらに、チップは、（キャッシュ１０８のような）１つ若しくは複数の共有キャッシュ及び／若しくはプライベートキャッシュ、（バス若しくは相互接続１１２のような）バス若しくは相互接続、グラフィック及び／若しくはメモリ制御器、又は、他のコンポーネントを含み得る。
【００１４】
ルータ１１０は、プロセッサ１０２−１及び／又はシステム１００の様々なコンポーネントの間で通信するために使用され得る。さらに、プロセッサ１０２−１は、１つより多いルータ１１０を含み得る。さらに、多数のルータ１１０は、プロセッサ１０２−１の内部又は外部の様々なコンポーネントの間のデータの経路指定を可能にするように通信するかもしれない。
【００１５】
キャッシュ１０８は、複数のコア１０６のような、プロセッサ１０２−１の１つ又は複数のコンポーネントによって利用されるデータ（例えば、命令を含む）を記憶し得る。例えば、キャッシュ１０８は、プロセッサ１０２のコンポーネントによるより速いアクセス（例えば、複数のコア１０６によるより速いアクセス）のために、メモリ１１４に記憶されたデータを局所的にキャッシュし得る。図１において示されたように、メモリ１１４は、複数のプロセッサ１０２と相互接続１０４を介して通信し得る。キャッシュ１０８（それは共有され得る）は、ミッドレベルキャッシュ（ＭＬＣ）、ラストレベルキャッシュ（ＬＬＣ）などであり得る。同様に、複数のコア１０６のそれぞれは、レベル１（Ｌ１）キャッシュ（１１６−１）（同様に“Ｌ１キャッシュ１１６”と言われる）、又は、レベル２（Ｌ２）キャッシュのような他のレベルのキャッシュを含み得る。さらに、プロセッサ１０２−１の様々なコンポーネントは、バス（例えば、バス１１２）、及び／又は、メモリ制御器若しくはハブを通して、キャッシュ１０８と直接的に通信し得る。
【００１６】
システム１００は、電力をシステム１００の１つ又は複数のコンポーネントに提供するために、電源１２０（例えば、直流（ＤＣ）電源、又は交流（ＡＣ）電源）を同様に含み得る。例えば、電源１２０は、プラットフォーム電源であり得る。プラットフォーム電源は、ＰＳＵであり得る。電源１２０は、１つ若しくは複数のバッテリパック及び／又は電源装置を含み得る。電源１２０は、電圧レギュレータ（ＶＲ）１３０を通してシステム１００のコンポーネントと接続され得る。さらに、図１が１つの電源１２０及び１つの電圧レギュレータ１３０を例示するとしても、追加の電源及び／又は電圧レギュレータが利用され得る。例えば、複数のプロセッサ１０２のうちの１つ又は複数は、対応する（複数の）電圧レギュレータ及び／又は（複数の）電源を有し得る。（複数の）電圧レギュレータ１３０は、単一の電源プレーン（例えば、複数のコア１０６の全てに電力を供給する）、又は複数の電源プレーン（各電源プレーンが異なるコア又はコアのグループに電力を供給し得る）を介して、プロセッサ１０２に接続され得る。
【００１７】
さらに、図１が電源１２０及び電圧レギュレータ１３０を別個のコンポーネントとして示す一方、電源１２０及び電圧レギュレータ１３０は、システム１００の他のコンポーネントに組み込まれ得る。例えば、ＶＲ１３０の全て又は一部分は、電源１２０及び／又はプロセッサ１０２に組み込まれ得る。
【００１８】
図１に示されたように、プロセッサ１０２は、プロセッサ１０２のコンポーネント（例えば、複数のコア１０６）に対する電力の供給を制御するために、電力制御ロジック１４０を更に含み得る。ロジック１４０は、システム１００の様々なコンポーネントと通信された情報のようなロジック１４０の動作に関連している情報を記憶するために、（キャッシュ１０８、Ｌ１キャッシュ１１６、メモリ１１４、又はシステム１００における別のメモリのような）ここで論じられた１つ又は複数の記憶装置に対するアクセスを有し得る。図示されたように、ロジック１４０は、ＶＲ１３０、並びに／又は、複数のコア１０６及び／若しくは電源１２０のようなシステム１００の他のコンポーネントに接続され得る。
【００１９】
例えば、ロジック１４０は、１つ又は複数のセンサ１５０の状態を示す（例えば、１つ若しくは複数のビット又は信号の形式の）情報を受け取るように接続され得る。（複数の）センサ１５０は、温度、動作周波数、動作電流、動作電圧、電力消費量、及び／又はコア間通信動作などのようなシステム／プラットフォームの電力／熱の挙動に影響を及ぼす様々な要因における変化を感知するために、複数のコア１０６、相互接続１０４又は１１２、プロセッサ１０２の外部のコンポーネントなどのようなシステム１００の（複数の）コンポーネントの直近に提供され得る。
【００２０】
ロジック１４０は、ＶＲ１３０、電源１２０、及び／又は（複数のコア１０６のような）システム１００の個々のコンポーネントに、それらの動作を変更するように命令し得る。例えば、ロジック１４０は、ＶＲ１３０及び／又は電源１２０（若しくはＰＳＵ）に対して、それらの出力を調整するように指示し得る。ロジック１４０は、複数のコア１０６に、それらの動作周波数、動作電流、電力消費量などを変更するように要求し得る。コンポーネント１４０及び１５０がプロセッサ１０２−１に含まれるように図示されるとしても、これらのコンポーネントは、システム１００におけるどこか別の場所で提供され得る。例えば、電力制御ロジック１４０は、ＶＲ１３０において提供され得る、電源１２０において提供され得る、相互接続１０４に直接的に接続されて提供され得る、複数のプロセッサ１０２のうちの１つ若しくは複数（又は、その代わりに全部）の中に提供され得る、などのようになる。さらに、図１において示されたように、電源１２０及び／又は電圧レギュレータ１３０は、電力制御ロジック１４０と通信するとともに、それらの電力仕様を報告し得る。
【００２１】
図２は、実例の実施例による、電子システムの構成図である。他の実施例及び構成が同様に提供され得る。電子システムは、電力管理システム２００を含み得る。
【００２２】
電力指示値（例えば、電力消費値（例えば、供給された）、電力消費性能、及び／又は電力消費状態）が、通信リンク２０４、又は、ブリックに対して直列のセンス抵抗器及び／若しくは全体のシステム（ブリック及びバッテリ）に対して直列のセンス抵抗器、それぞれ抵抗器２０６及び抵抗器２０８、を介して、インテリジェントブリック（intelligent  brick）２０２から、（例えば、デジタル方式で）提供され得る。ブリックは、一般に、ＡＣ（交流）を電子装置により使用されるべきであるＤＣ（直流）に変換することが可能である（図１の電源装置１２０のような）電源装置のことを指し得る。さらに、インテリジェントブリックは、一般に、単なる電力変換に加えて、（ここで論じられた機能のような）他の機能を実行することが可能である電源装置のことを指し得る。
【００２３】
図２は、抵抗器２０６を横断する電圧をサンプリングしてデジタル化信号を提供するための内部の（集積された）ＡＤＣ（Ａ／Ｄ変換器）２１０を有するバッテリ充電器を示す。図２は、同様に、抵抗器２０８を横断する電圧をサンプリングしてデジタル化信号を提供するためのシステムＡＤＣ２１２を示す。（充電器又はＡＤＣ２１０、及びシステムＡＤＣ２１２からの）デジタル化信号は、システムにより消費された／システムに対して供給された電力（すなわち、瞬間的なプラットフォーム電力）を示し得る。
【００２４】
図２において示されたように、ＡＤＣ２１０及び２１２は、抵抗器２０６及び２０８をそれぞれ横断する電圧をサンプリングし得る。ＡＤＣは、（ＡＤＣ２１２のように）専用にされることができる、埋め込み型制御器２１４に組み込まれることができる、（ＣＰＵ電源装置２１６内の、図１のＶＲ１３０のような）ＶＲに組み込まれることができる、及び／又は、チップに組み込まれることができる。制御は、電力制御ロジック１４０（同様に、ここではＰＭＵ（電力管理ユニット）又はＰＣＵ（電力制御ユニット）と言われる）、埋め込み型制御器２１４により実行され得る。
【００２５】
図２において、電力管理システム２００は、ＣＰＵ／プロセッサ１０２の内容物を、制御ロジック１４０と、プロセッサ２２０に属する残りの部分とに分割し得る。プラットフォーム電源装置／複数のプラットフォーム電源装置２２２は、同様に、プラットフォームの残り２２４（すなわち、例えば１つ又は複数のプロセッサ１０２以外）に電力を供給するために含まれ得る。システム２００は、同様に、メモリを含み得る。（例えば、アイテム２１０及び２１２からの）電力測定値は、例えば、ロジック１４０及び／又は埋め込み型制御器２１４に同様に提供され得る。
【００２６】
図３は、実例の実施例による、電力モニタシステムを示す。他の実施例及び構成が同様に提供され得る。
【００２７】
図３に関して論じられた電力制御は、携帯端末のような電子装置のプラットフォームに電力を提供し得る。プラットフォームは、ディスプレイ、プロセッサ、制御器などを含み得る。
【００２８】
図３は、電源３０２、電力モニタ３０４、プロセッサ３０６、及びシステムの他の部分３０８（又は、プラットフォーム）を示す。電源３０２は、電力を電力モニタ３０４に提供し得る。電力モニタ３０４において受け取られた電力は、負荷のような、電子装置の他の部分に提供され得る。少なくとも１つの実施例において、電力モニタ３０４は、電子装置の一部分であり得る。
【００２９】
電力モニタは、同様に、電力計及び／又は電力センサと言われ得る。
【００３０】
電力モニタ３０４は、電源３０２からの受け取られた電力に基づく電力情報を提供するとともに、情報をシステムの他の部分３０８及びプロセッサ３０６に供給し得る。少なくとも１つの実施例において、電力モニタ３０４は、アナログの方法で電力情報を提供し得る。少なくとも１つの実施例において、電力モニタ３０４は、デジタルの方法で電力情報を提供し得る。提供される電力情報は、全体のシステム電力情報（又は、全体のシステム電力消費量）であり得る。電力モニタ３０４は、受け取られた電力に基づいて、全体のシステム電力情報を提供し得る。
【００３１】
電力モニタ３０４は、瞬時電力値（ＰＳＹＳ）をプロセッサ３０６に提供し得る。瞬時電力値ＰＳＹＳは、電力モニタ３０４において測定されたか、又は判定された全体のシステム電力消費量（又は、全体のシステム電力情報）であり得る。
【００３２】
１つの実例として、電力モニタ３０４は、電子装置の充電器の一部分を含み得る。１つの実例として、電力モニタ３０４は、専用のシリコンセンサを含み得る。電力モニタ３０４は、電源３０２から受け取られた全体のプラットフォーム電力（例えば、システムの他の部分３０８及びプロセッサ３０６により消費された電力）を監視するとともに、測定された瞬時電力と比例する電気信号（アナログ又はデジタル形式）を生成し得る。全体のシステム電力情報は、全体の瞬時電力値を含み得る。
【００３３】
瞬時電力値（ＰＳＹＳ）は、プロセッサ３０６に提供され得る。プロセッサ３０６は、受け取られた電力情報に基づいて、プロセッサ３０６の性能を変更し得る。プロセッサ３０６は、受け取られた全体のシステム電力情報に基づいて、性能（又は、性能パラメータ）を変更（又は、調整）し得る。すなわち、プロセッサ３０６は、全体のシステム電力情報を受け取り得る。これは、監視されたプロセッサ３０６の電力及び固定されたプラットフォーム電力オフセットから成る“擬似の”全体のシステム電力情報に基づいて、プロセッサが性能を変更し得る他の構成に対する改善になる。すなわち、電力モニタ３０４により提供される全体のシステム電力情報は、固定されたプラットフォーム電力値及び監視されたプロセッサ電力から成る“仮定された”全体のシステム電力より正確である。
【００３４】
プロセッサ３０６は、電流値ＩＭＯＮを同様に受け取り得る。電流値ＩＭＯＮは、プロセッサ３０６によりプロセッサの電力消費量を判定するために使用され得る。電流値ＩＭＯＮは、プロセッサ３０６に電力を供給する電圧レギュレータの平均出力電流に比例するアナログ信号である。電流値ＩＭＯＮは、プロセッサ３０６の電圧レギュレータ１３０（図１）により供給される。
【００３５】
図３は、同様に、電源３０２からの電力が、電力モニタ３０４から例えばディスプレイを有する負荷のようなシステムの他の部分３０８に提供されるとともに、電力モニタ３０４により監視され得る、ということを示す。電力は、プロセッサ３０６に同様に提供され得る。
【００３６】
図４は、実例の実施例による、電子装置の電力モニタシステムを示す。他の実施例及び構成が同様に提供され得る。
【００３７】
図４において示された実施例は、図３の実施例の更に詳細な実施例である。図４において示されたコンポーネントは、携帯端末のような電子装置において提供され得る。電子装置のシステム（又は、プラットフォーム）の他のコンポーネントが同様に提供され得る。
【００３８】
図４の実施例は、（全体のシステム電力情報のような）電力値のアナログ値を使用するアナログ電力モニタ及び／又は方式を含み得る。少なくとも１つの実施例において、電力モニタは、全体のシステム電流を感知するためのシリコンセンサを含み得る。シリコンセンサは、アナログ信号を提供し得る。
【００３９】
図４は、電力モニタ３１４、コア電圧レギュレータ３１５（又は、プロセッサ電圧レギュレータ）、プロセッサ３１６、及び制御器３１８を示す。電力モニタ３１４は、アナログ電力モニタであり得る。少なくとも１つの実施例において、プロセッサ３１６は、中央処理装置（ＣＰＵ）であり得る。少なくとも１つの実施例において、制御器３１８は、埋め込み型制御器であり得る。例えば、埋め込み型制御器は、プロセッサ３１６の中に提供され得る。
【００４０】
電力モニタ３１４は、電源３０２（図３）のような電源から電力を受け取り得る。
【００４１】
電力モニタ３１４は、受け取られた電力に基づいて、電力情報を提供し得る。１つの実例として、電力モニタ３１４は、瞬時電力値ＰＳＹＳをコア電圧レギュレータ３１５（又は、プロセッサ電圧レギュレータ）に提供し得る。瞬時電力値ＰＳＹＳは、電力モニタ３１４において測定されたか、又は判定された全体のシステム電力消費量（又は、全体のシステム電力情報）であり得る。
【００４２】
少なくとも１つの実施例において、電力モニタ３１４は、瞬時電力値ＰＳＹＳのアナログ値を提供し得る。アナログ値は、アナログ測定又は判定により、測定され得るか、又は判定され得る。
【００４３】
瞬時電力値ＰＳＹＳのアナログ値は、コア電圧レギュレータ３１５（又は、プロセッサ電圧レギュレータ）に提供されることができ、それは、絶えず監視された／しっかりと調整された電圧を、プロセッサ３１６に提供する。
【００４４】
電力モニタ３１４は、プロセッサ３１６に、そしてシステムの１つ又は複数のコンポーネントに供給されるべきシステム電力を受け取り得る。電力モニタ３１４は、システム電力に対応する情報を提供し得る。
【００４５】
コア電圧レギュレータ３１５は、瞬時電力値ＰＳＹＳのアナログ値をデジタル値に変換するとともに、デジタル化されたＰＳＹＳ値をプロセッサ３１６に提供し得る。コア電圧レギュレータ３１５は、（デジタル化された方法で）全体のシステム電力情報をプロセッサ３１６に提供し得る。デジタル化されたＰＳＹＳ値は、バス３１３に沿ってプロセッサ３１６に提供され得る。少なくとも１つの実施例において、バス３１３は、（インテル社によって提供されたシリアルＶＩＤのための通信プロトコルを利用する）ＳＶＩＤバスであり得る。
【００４６】
電力モニタ３１４は、同様に、電流値（又は、熱温度値）を制御器３１８に提供し得る。電流値（又は、熱温度値）は、制御器３１８と電力モニタ３１４との間の双方向通信を提供する通信リンクに沿って提供され得る。少なくとも１つの実例において、これは、電力モニタ３１４からの生成された電力信号（電力値ＰＳＹＳ）の、そしてプラットフォームの最大の電力消費性能に特有である、適切なスケーリングを提供し得る。
【００４７】
制御器３１８は、熱管理のためのプラットフォーム環境制御インタフェース（ＰＥＣＩ）のようなインタフェース３１７を越えて、情報をプロセッサ３１６に提供し得る。
【００４８】
図４において示されたように、プロセッサ３１６は、電力モニタ３１４から電力情報を受け取り得る。プロセッサ３１６（又は、他の装置）は、受け取られた電力情報に基づいて、プロセッサ３１６の性能を変更し得る。プロセッサ３１６は、受け取られた全体のシステム電力情報に基づいて、性能（又は、性能パラメータ）を変更（又は、調整）し得る。すなわち、プロセッサ３１６は、全体のシステム電力情報を受け取り得る。プロセッサ３１６は、システム電力に対応する情報に少なくとも一部分基づいて、プロセッサ３１６の性能を変更し得る。システム電力に対応する情報は、瞬時電力に対応する値を含み得る。
【００４９】
図５は、実例の実施例による、電子装置の電力モニタシステムを示す。他の実施例及び構成が同様に提供され得る。
【００５０】
図５において示された実施例は、図３の実施例の更に詳細な実施例である。図５において示されたコンポーネントは、電子装置において提供され得る。電子装置のシステム（又は、プラットフォーム）の他のコンポーネントが同様に提供され得る。
【００５１】
図５の実施例は、（全体のシステム電力情報のような）電力値のデジタル値を使用するデジタル電力モニタ及び／又は方式を含み得る。少なくとも１つの実施例において、電力モニタは、全体のシステム電流を感知するためのシリコンセンサを含み得る。シリコンセンサは、デジタル化されたデータを、バスを通してプロセッサに直接的に提供し得る。図５の実施例は、デジタルシステムである。電力モニタ３２４は、電力信号（電力値ＰＳＹＳ）を監視するとともに、プロセッサ３１６に対するＳＶＩＤバスインタフェースのようなデジタルインタフェース／バス３２５を介した即時の伝送のために、直接的にデジタル化（又は、量子化）し得る。この実施例は、電力信号（電力値ＰＳＹＳ）を量子化するための（図４における）コア電圧レギュレータ３１５又は他のアナログ／デジタル変換手段に頼らないかもしれない。
【００５２】
図５は、電力モニタ３２４、プロセッサ３１６、及び制御器３１８を示す。電力モニタ３２４は、例えばデジタル電力モニタであり得る。少なくとも１つの実施例において、プロセッサ３１６は、中央処理装置（ＣＰＵ）であり得る。少なくとも１つの実施例において、制御器３１８は、埋め込み型制御器３１８であり得る。例えば、埋め込み型制御器３１８は、プロセッサ３１６の中に提供され得る。
【００５３】
電力モニタ３２４は、電源３０２（図３）のような電源から電力を受け取り得る。
【００５４】
電力モニタ３２４は、受け取られた電力に基づいて、電力情報を提供し得る。１つの実例として、電力モニタ３２４は、瞬時電力値ＰＳＹＳをプロセッサ３１６に直接的に提供し得る。瞬時電力値ＰＳＹＳは、電力モニタ３２４において測定されたか、又は判定された全体のシステム電力消費量（又は、全体のシステム電力情報）であり得る。
【００５５】
少なくとも１つの実施例において、電力モニタ３２４は、瞬時電力値ＰＳＹＳのデジタル値を提供し得る。デジタル値は、電力モニタ３２４におけるデジタル測定又は判定により、測定され得るか、又は判定され得る。
【００５６】
瞬時電力値ＰＳＹＳのデジタル値は、ＳＶＩＤバスのようなバス３２５に沿ってプロセッサ３１６に直接的に提供され得る。
【００５７】
電力モニタ３２４は、プロセッサ３１６に、そしてシステムの１つ又は複数のコンポーネントに供給されるべきシステム電力を受け取り得る。電力モニタ３２４は、システム電力に対応する情報を提供し得る。
【００５８】
電力モニタ３２４は、同様に、電流値を制御器３１８に提供し得る。電流値（又は、熱温度値）は、プラットフォーム制御器（又は、システム制御器）と電力モニタ３２４との間の双方向通信を提供する通信リンクに沿って提供され得る。少なくとも１つの実例において、これは、電力モニタ３２４からの生成された電力信号（電力値ＰＳＹＳ）の、そしてプラットフォームの（又は、システムの）最大の電力消費性能に特有である、適切なスケーリングを提供し得る。
【００５９】
制御器３１８は、熱管理のためのプラットフォーム環境制御インタフェース（ＰＥＣＩ）のようなインタフェース３１７を越えて、情報をプロセッサ３１６に提供し得る。
【００６０】
図５において示されたように、プロセッサ３１６は、電力モニタ３２４から電力情報を受け取り得る。プロセッサ３１６（又は、他の装置）は、受け取られた電力情報に基づいて、プロセッサ３１６の性能を変更し得る。プロセッサ３１６は、受け取られた全体のシステム電力情報に基づいて、性能（又は、性能パラメータ）を変更（又は、調整）し得る。すなわち、プロセッサ３１６は、全体のシステム電力情報を受け取り得る。プロセッサ３１６は、システム電力に対応する情報に少なくとも一部分基づいて、プロセッサ３１６の性能を変更し得る。システム電力に対応する情報は、瞬時電力に対応する値を含み得る。
【００６１】
少なくとも１つの実施例において、電力モニタ３１４、３２４は、充電器の一部分であり得る。少なくとも１つの実施例において、電力モニタ３１４、３２４は、シリコンセンサを含み得る。
【００６２】
図６は、実例の実施例による、電子装置の電力モニタシステムを示す。他の実施例及び構成が同様に提供され得る。
【００６３】
図６において示された実施例は、図３の実施例の更に詳細な実施例である。図６の実施例は、電力モニタ３１２からのアナログデータに基づいて情報を提供するために、図４の実施例の特徴を含む。図６において示されたコンポーネントは、電子装置において提供され得る。電子装置のシステム（又は、プラットフォーム）の他のコンポーネントが同様に提供され得る。
【００６４】
図６の実施例は、（全体のシステム電力情報のような）電力値のアナログ値を使用するアナログ電力モニタ及び／又は方式を含み得る。
【００６５】
図６は、ブリック２０２（又は、ＡＣアダプタ）、充電器２１０、シリコンセンサ３５０、コア電圧レギュレータ３１５、プロセッサ３６０、及びシステムの他の部分３７０を示す。
【００６６】
少なくとも１つの実施例において、シリコンセンサ３５０は、（全体のシステム電力情報、又は全体のシステム電流のような）電力情報を判定し得るか、又は受け取り得る。例えば、図６は、ＩＳＹＳのような感知された全電流に基づいて、電力情報を受け取るか、又は判定するためのシリコンセンサ３５０を示す。シリコンセンサ３５０は、入力ノードと出力ノードを横断する瞬間電圧を監視し、等価電力を計算するとともに、監視された電力に比例した信号（電圧モード又は電流モード）を生成し得る。アナログ情報が、コア電圧レギュレータ３１５に提供され得る。シリコンセンサ３５０は、システム電力に対応する情報の少なくとも一部分を提供し得る。
【００６７】
シリコンセンサ３５０は、等価な全体のシステム電力を計算するために、この情報を使用して全体のシステム電流ＩＳＹＳを感知し得る。シリコンセンサ３５０は、アナログ信号をコア電圧レギュレータ３１５に提供し得る。
【００６８】
コア電圧レギュレータ３１５は、感知されたシステム電流ＩＳＹＳのアナログ値をデジタル値に変換するとともに、ＳＶＩＤバスのようなバス３５６に沿ってデジタル化された感知電流をプロセッサ３６０に提供し得る。コア電圧レギュレータ３１５は、全体のシステム電力情報の一部分をアナログ値として受け取るとともに、全体のシステム電力情報の一部分のデジタル化された値をプロセッサ３１６に提供し得る。
【００６９】
シリコンセンサ３５０は、電流値をプロセッサ３６０に同様に提供し得る。１つの実例として、電流値は、シリコンセンサ３５０からプロセッサ３６０の埋め込み型制御器まで提供され得る。少なくとも１つの実例において、状態信号／制御信号が提供され得る。
【００７０】
プロセッサ３６０は、シリコンセンサ３５０を含み得る電力モニタから電力情報を受け取り得る。プロセッサ３６０（又は、他の装置）は、受け取られた電力情報に基づいて、プロセッサ３６０の性能を変更し得る。プロセッサ３６０は、受け取られた全体のシステム電力情報（又は、全体のシステム電流）に基づいて、性能（又は、性能パラメータ）を変更（又は、調整）し得る。すなわち、プロセッサ３６０は、全体のシステム電力情報を受け取り得る。
【００７１】
図６において示されたように、バス３５６は、コア電圧レギュレータ３１５（又は、変換装置）とプロセッサ３６０との間に提供され得る。コア電圧レギュレータ３１５（又は、変換装置）は、全体のシステム電力情報の一部分のデジタル化された値をバス３５６に提供し得る。バス３５６は、全体のシステム電力情報の一部分のデジタル化された値をプロセッサに提供し得る。
【００７２】
図７は、実例の実施例による、電子装置の電力モニタシステムを示す。他の実施例及び構成が同様に提供され得る。
【００７３】
図７において示された実施例は、図３の実施例の更に詳細な実施例である。図７の実施例は、電力モニタ３２４からのデジタルデータに基づいて情報を提供するために、図５の実施例の特徴を含む。図７において示されたコンポーネントは、電子装置において提供され得る。電子装置のシステム（又は、プラットフォーム）の他のコンポーネントが同様に提供され得る。
【００７４】
図７の実施例は、（全体のシステム電力情報のような）電力値のデジタル値を使用するデジタル電力モニタ及び／又は方式を含み得る。
【００７５】
図７は、ブリック２０２、充電器２１０、シリコンセンサ３５０、プロセッサ３６０、及びシステムの他の部分３７０を示す。図７は、同様に、ＳＶＩＤバスのようなバス３６７を介してプロセッサ３６０に接続されるコア電圧レギュレータ３１５を示す。
【００７６】
少なくとも１つの実施例において、シリコンセンサ３５０は、（全体のシステム電力情報、又は全体のシステム電流のような）電力情報を判定し得るか、又は受け取り得る。例えば、図７は、ＩＳＹＳのような感知された全電流に基づいて、電力情報を受け取るか、又は判定するためのシリコンセンサ３５０を示す。デジタル情報は、バス３５７に沿ってプロセッサ３６０に直接的に提供され得る。
【００７７】
シリコンセンサ３５０は、全体のシステム電流ＩＳＹＳを感知し得る。シリコンセンサ３５０は、デジタル信号をプロセッサ３６０に提供し得る。
【００７８】
プロセッサ３６０は、シリコンセンサ３５０を含み得る電力モニタから電力情報を受け取り得る。プロセッサ３６０（又は、他の装置）は、受け取られた電力情報に基づいて、プロセッサ３６０の性能を変更し得る。プロセッサ３６０は、受け取られた全体のシステム電力情報（又は、全体のシステム電流）に基づいて、性能（又は、性能パラメータ）を変更（又は、調整）し得る。すなわち、プロセッサ３６０は、全体のシステム電力情報を受け取り得る。
【００７９】
上記で説明された図６及び図７の実施例は、ハイブリッドパワーブースト電力スキームのアナログバージョン及びデジタルバージョンに関連する。ハイブリッドパワーブースト電力スキームは、シリコンセンサを示す。下記の図８Ａ〜図９Ｂは、狭ＶＤＣ（narrow  VDC）スキームに関連し、そしてシリコンセンサを示す。
【００８０】
図８Ａ及び図８Ｂは、実例の実施例による、電子装置の電力モニタシステムを示す。図８Ｂは、狭ＶＤＣ（narrow  VDC）スキームにおいて使用されるシリコンセンサを示す。他の実施例及び構成が同様に提供され得る。
【００８１】
図８Ａの実施例は、（全体のシステム電力情報のような）電力値のアナログ値を使用するアナログ電力モニタ及び／又は方式を含み得る。
【００８２】
図８Ａは、ブリック２０２、充電器２１０、コア電圧レギュレータ３１５、プロセッサ３６０、及びシステムの他の部分３７０を示す。図８Ｂは、シリコンセンサ３５０を有する回路を示す。
【００８３】
少なくとも１つの実施例において、シリコンセンサ３５０は、（全体のシステム電力情報、又は全体のシステム電流のような）電力情報を判定し得るか、又は受け取り得る。例えば、図８Ｂは、ＩＳＹＳのような感知された全電流に基づいて、電力情報を受け取るか、又は判定するためのシリコンセンサ３５０を示す。アナログ情報が、コア電圧レギュレータ３１５に提供され得る。
【００８４】
シリコンセンサ３５０は、全体のシステム電流ＩＳＹＳを感知し得る。シリコンセンサ３５０は、アナログ信号をコア電圧レギュレータ３１５に提供し得る。
【００８５】
コア電圧レギュレータ３１５は、感知されたシステム電流ＩＳＹＳのアナログ値をデジタル値に変換するとともに、ＳＶＩＤバスのようなバス３７７に沿ってデジタル化された感知電流をプロセッサ３６０に提供し得る。
【００８６】
シリコンセンサ３５０は、電流値をプロセッサ３６０に同様に提供し得る。１つの実例として、電流値は、シリコンセンサ３５０からプロセッサ３６０の埋め込み型制御器まで提供され得る。
【００８７】
プロセッサ３６０は、シリコンセンサ３５０を含み得る電力モニタから電力情報を受け取り得る。プロセッサ３６０（又は、他の装置）は、受け取られた電力情報に基づいて、プロセッサ３６０の性能を変更し得る。プロセッサ３６０は、受け取られた全体のシステム電力情報（又は、全体のシステム電流）に基づいて、性能パラメータを変更（又は、調整）し得る。すなわち、プロセッサ３６０は、全体のシステム電力情報を受け取り得る。
【００８８】
図９Ａ及び図９Ｂは、実例の実施例による、電子装置の電力モニタシステムを示す。図９Ｂは、狭ＶＤＣ（narrow  VDC）スキームにおいて使用されるシリコンセンサを示す。他の実施例及び構成が同様に提供され得る。
【００８９】
図９Ａの実施例は、（全体のシステム電力情報のような）電力値のデジタル値を使用するデジタル電力モニタ及び／又は方式を含み得る。
【００９０】
図９Ａは、ブリック２０２、充電器２１０、シリコンセンサ３５０、プロセッサ３６０、及びシステムの他の部分３７０を示す。図９Ｂは、シリコンセンサ３５０を有する回路を示す。図９Ａは、同様に、ＳＶＩＤバスのようなバス３８７を介してプロセッサ３６０に接続されるコア電圧レギュレータ３１５を示す。
【００９１】
少なくとも１つの実施例において、シリコンセンサ３５０は、（全体のシステム電力情報、又は全体のシステム電流のような）電力情報を判定し得るか、又は受け取り得る。例えば、図９Ｂは、ＩＳＹＳのような感知された全電流に基づいて、電力情報を受け取るか、又は判定するためのシリコンセンサ３５０を示す。デジタル情報は、バス３８７に沿ってプロセッサ３６０に提供され得る。
【００９２】
シリコンセンサ３５０は、全体のシステム電流ＩＳＹＳを感知し得る。シリコンセンサ３５０は、デジタル信号をプロセッサ３６０に提供し得る。
【００９３】
プロセッサ３６０は、シリコンセンサ３５０を含み得る電力モニタから電力情報を受け取り得る。プロセッサ３６０（又は、他の装置）は、受け取られた電力情報に基づいて、プロセッサ３６０の性能を変更し得る。プロセッサ３６０は、受け取られた全体のシステム電力情報（又は、全体のシステム電流）に基づいて、性能パラメータを変更（又は、調整）し得る。すなわち、プロセッサ３６０は、全体のシステム電力情報を受け取り得る。
【００９４】
電子装置は、携帯端末、携帯機器、モバイルコンピューティングプラットフォーム、モバイルプラットフォーム、ラップトップコンピュータ、タブレット、ウルトラモバイルパーソナルコンピュータ、モバイルインターネット装置、スマートフォン、携帯情報端末、表示装置、テレビ受信機（ＴＶ）などのうちのいずれか１つであり得る。
【００９５】
下記の実例は、更なる実施例と関係がある。
【００９６】
実例１は、電子装置であって、プロセッサに、そしてシステムの１つ又は複数のコンポーネントに供給されるべきシステム電力を受け取るとともに、上記システム電力に対応する情報を提供するための電力モニタと、上記システム電力に対応する上記情報に少なくとも一部分基づいて性能を変更するプロセッサとを備える、電子装置である。
【００９７】
実例３において、実例１の主題は、任意に、上記システム電力に対応する上記情報の少なくとも一部分がアナログ値を含み、当該電子装置が上記アナログ値をデジタル化するための変換装置を備える、ということを含むことができる。
【００９８】
実例４において、実例１及び実例３の主題は、任意に、上記のデジタル化されたアナログ値を上記プロセッサに提供するために、上記変換装置に、そして上記プロセッサに接続されたバスを含むことができる。
【００９９】
実例５において、実例１の主題は、任意に、上記電力モニタが、上記システム電力に対応する上記情報の少なくとも一部分を提供するためのシリコンセンサを含む、ということを含むことができる。
【０１００】
実例６において、実例１の主題は、任意に、上記電力モニタが、シリコンセンサを含み、当該電子装置が、上記システム電力に対応する上記情報の少なくとも一部分を上記プロセッサに提供するために、上記シリコンセンサに、そして上記プロセッサに接続されたバスを備える、ということを含むことができる。
【０１０１】
実例７において、実例１の主題は、任意に、上記システム電力に対応する上記情報が、瞬時電力に対応する値を含むことができる、ということを含むことができる。
【０１０２】
実例８は、プロセッサに、そしてシステムの１つ又は複数のコンポーネントに供給されるべきシステム電力を受け取るステップと、上記システム電力に対応する情報を提供するステップと、上記システム電力に対応する上記情報に少なくとも一部分基づいて上記プロセッサの性能を変更するステップとを含む、方法である。
【０１０３】
実例９において、実例８の主題は、任意に、上記システム電力に対応する情報を提供するステップが、バッテリ充電器が上記システム電力に対応する上記情報の少なくとも一部分を提供するステップを含む、ということを含むことができる。
【０１０４】
実例１０において、実例８の主題は、任意に、上記システム電力に対応する上記情報の少なくとも一部分がアナログ値を含み、当該方法が上記アナログ値をデジタル化するステップを含む、ということを含むことができる。
【０１０５】
実例１１において、実例８及び実例１０の主題は、任意に、バスを介して上記のデジタル化されたアナログ値を上記プロセッサに提供するステップを含むことができる。
【０１０６】
実例１２において、実例８の主題は、任意に、上記システム電力に対応する情報を提供するステップが、シリコンセンサが上記システム電力に対応する上記情報の少なくとも一部分を提供するステップを含む、ということを含むことができる。
【０１０７】
実例１３において、実例８の主題は、任意に、上記システム電力に対応する情報を提供するステップが、バスを介してシリコンセンサから上記プロセッサに上記システム電力に対応する上記情報の少なくとも一部分を提供するステップを含む、ということを含むことができる。
【０１０８】
実例１４において、実例８の主題は、任意に、上記システム電力に対応する上記情報が、瞬時電力に対応する値を含むことができる、ということを含むことができる。
【０１０９】
実例１５は、電子装置であって、プロセッサに、そしてシステムの１つ又は複数のコンポーネントに供給されるべきシステム電力を受け取るとともに、上記システム電力に対応する情報を提供するための第１の手段と、上記システム電力に対応する上記情報に少なくとも一部分基づいて上記プロセッサの性能を変更するための第２の手段とを備える、電子装置である。
【０１１０】
実例１６において、実例１５の主題は、任意に、上記第１の手段が、上記システム電力に対応する上記情報の少なくとも一部分を提供するためのバッテリ充電器を含む、ということを含むことができる。
【０１１１】
実例１７において、実例１５の主題は、任意に、上記システム電力に対応する上記情報の少なくとも一部分がアナログ値を含み、当該電子装置が上記アナログ値をデジタル化するための変換装置を備える、ということを含むことができる。
【０１１２】
実例１８において、実例１５及び実例１７の主題は、任意に、上記のデジタル化されたアナログ値を上記プロセッサに提供するために、上記変換装置に、そして上記プロセッサに接続されたバスを含むことができる。
【０１１３】
実例１９において、実例１５の主題は、任意に、上記第１の手段が、上記システム電力に対応する上記情報の少なくとも一部分を提供するためのシリコンセンサを含む、ということを含むことができる。
【０１１４】
実例２０において、実例１５の主題は、任意に、上記第１の手段が、シリコンセンサを含み、当該電子装置が、上記システム電力に対応する上記情報の少なくとも一部分を上記プロセッサに提供するために、上記シリコンセンサに、そして上記プロセッサに接続されたバスを備える、ということを含むことができる。
【０１１５】
実例２１において、実例１５の主題は、任意に、上記システム電力に対応する上記情報が、瞬時電力に対応する値を含むことができる、ということを含むことができる。
【０１１６】
実例２２は、１つ又は複数の命令を含む機械読み取り可能な媒体であって、上記命令が実行された場合に、プロセッサに、プロセッサに、そしてシステムの１つ又は複数のコンポーネントに供給されるべきであるシステム電力に対応する情報を受け取り、上記システム電力に対応する上記情報に少なくとも一部分基づいて上記プロセッサの性能を変更するための１つ又は複数の動作を実行させる、機械読み取り可能な媒体である。
【０１１７】
実例２３において、実例２２の主題は、任意に、上記システム電力に対応する上記情報が、電力モニタにより提供されるべき情報に対応する、ということを含むことができる。
【０１１８】
実例２４において、実例２２及び実例２３の主題は、任意に、上記電力モニタがバッテリ充電器を含む、ということを含むことができる。
【０１１９】
実例２５において、実例２２及び実例２３の主題は、任意に、上記電力モニタがシリコンセンサを含む、ということを含むことができる。
【０１２０】
“一実施例”、“実施例”、“実例の実施例”などへのこの明細書におけるあらゆる参照は、実施例に関連して説明された特定の特徴、構造、又は特性が少なくとも１つの実施例に含まれる、ということを意味する。明細書中の様々な場所におけるそのような言い回しの出現は、必ずしも同じ実施例を全て参照しているとは限らない。さらに、特定の特徴、構造、又は特性があらゆる実施例に関連して説明される場合に、実施例のうちの他のものに関連してそのような特徴、構造、又は特性に影響を及ぼすことは、当業者の理解の範囲内にあると思われる。
【０１２１】
実施例がその多くの実例となる実施例を参照して説明されたが、この開示の原理の精神及び範囲に含まれることになる多数の他の修正及び実施例が当業者によって考案され得る、ということが理解されるべきである。さらに、詳しくは、様々な変形及び修正が、構成要素及び／又は主題の組み合わせ構成の配置において、当該開示、図面、及び添付の請求項の範囲内で可能である。構成要素及び／又は配置における変形及び修正に加えて、代替的用途が同様に当業者には明白であろう。
【図１】
2017503287.tif 000003
【図２】
2017503287.tif 000004
【図３】
2017503287.tif 000005
【図４】
2017503287.tif 000006
【図５】
2017503287.tif 000007
【図６】
2017503287.tif 000008
【図７】
2017503287.tif 000009
【図８Ａ】
2017503287.tif 000010
【図８Ｂ】
2017503287.tif 000011
【図９Ａ】
2017503287.tif 000012
【図９Ｂ】
2017503287.tif 000013
【国際調査報告】
2017503287.tif 000014
2017503287.tif 000015